(57)【要約】【課題】  モグラやねずみの駆除を確実に行えると共に、モグラやねずみが駆除された状態を長期間維持できるモグラ等の駆除装置を提供する。【解決手段】  農作地等からモグラやねずみを駆除する駆除装置１０であって、駆除装置１０には、ガソリンエンジン１８等の内燃機関からの排出ガス中に殺鼠剤又は忌避剤を混合する混合手段１４と、排出ガスと殺鼠剤又は忌避剤と混合された混合ガスをモグラやねずみの巣穴に導入する導入手段１６とを具備する。【選択図】          図１
2005192511.tif 000002
【特許請求の範囲】
【請求項１】
農作地等からモグラやねずみを駆除する駆除装置であって、
前記駆除装置には、ガソリンエンジン等の内燃機関からの排出ガス中に殺鼠剤又は忌避剤を混合する混合手段と、
前記排出ガスと殺鼠剤又は忌避剤と混合された混合ガスをモグラやねずみの巣穴に導入する導入手段とを具備することを特徴とするモグラ等の駆除装置。
【請求項２】
導入手段には、曲折可能な配管であって、先端部がモグラやねずみの巣穴に挿入されると共に、後端部が混合手段によって混合された混合ガスを供給する供給管に接続される導入管が設けられていることを特徴とする請求項１記載のモグラ等の駆除装置。
【請求項３】
混合手段には、
前記内燃機関によって回転駆動されるファンと、
前記ファンから送り込まれる空気流が流れる送流管中に、殺鼠剤又は忌避剤を滴下する滴下手段と、
前記殺鼠剤又は忌避剤を含む空気流が流れる送流管に繋ぎ込まれ、前記内燃機関からの排出ガスを導く排出ガス管とを具備することを特徴とする請求項１又は２記載のモグラ等の駆除装置。
【請求項４】
前記送流管内には、前記殺鼠剤又は忌避剤が一端部の開口部から滴下される滴下管の他端部が挿入され、前記滴下管の他端部が空気流の下流側に方向に延出されていることを特徴とする請求項２又は３記載のモグラ等の駆除装置。
【発明の詳細な説明】
【技術分野】
【０００１】
本発明は、農作地等からモグラやねずみを駆除するモグラ等の駆除装置に関する。
【背景技術】
【０００２】
農作地などにいるモグラやねずみを駆除する駆除装置としては、例えば下記特許文献１に提案されているものがある。この駆除装置を図３に示す。
図３に示す駆除装置１００は、外枠１０２にガソリンエンジン１０４が取り付けられたもので、ガソリンエンジン１０４から排出される排出ガスを、ホース１０６によりモグラの巣穴に導き、巣穴に潜むモグラやねずみを駆除するものである。
【特許文献１】実開平６−５５３７３号公報
【発明の開示】
【発明が解決しようとする課題】
【０００３】
しかしながら、図３に示す駆除装置１００によれば、排出ガスを導入した巣穴からモグラやねずみを駆除できた場合であっても、駆除後、その巣穴には、短期間でモグラやねずみが戻ってきてしまう。
また、巣穴は、複雑に屈折されて形成され、何ヶ所か出入口が形成されているため、排出ガスを送り込んだだけでは、確実にモグラやねずみを駆除できないおそれもある。
【０００４】
そこで、本発明の課題は、モグラやねずみの駆除効率を高めると共に、モグラやねずみが駆除された状態を長期間維持できるモグラ等の駆除装置を提供することにある。
【課題を解決するための手段】
【０００５】
本発明者は、上記課題を達成すべく検討した結果、ガソリンエンジンの排出ガス中に、農薬である殺虫剤を溶解した溶液を滴下してモグラ等の巣穴に導入したところ、排出ガスのみの場合に比較して、駆除効果を長期間維持できることを見い出し、本発明に到達した。
すなわち、本発明は、農作地等からモグラやねずみを駆除する駆除装置であって、前記駆除装置には、ガソリンエンジン等の内燃機関からの排出ガス中に殺鼠剤又は忌避剤を混合する混合手段と、前記排出ガスと殺鼠剤又は忌避剤と混合された混合ガスをモグラやねずみの巣穴に導入する導入手段とを具備することを特徴とするモグラ等の駆除装置にある。
かかる発明において、導入手段には、曲折可能な配管であって、先端部をモグラやねずみの巣穴に挿入すると共に、後端部を混合手段によって混合された混合ガスを供給する供給管に接続する導入管を設けることによって、曲折可能な配管の先端部を巣穴に具合良く差し込め、巣穴内に混合ガスを好適に送り込むことができる。
【０００６】
また、混合手段には、前記内燃機関によって回転駆動されるファンと、前記ファンから送り込まれる空気流が流れる送流管中に、殺鼠剤又は忌避剤が滴下する滴下手段と、前記殺鼠剤又は忌避剤を含む空気流が流れる送流管に繋ぎ込まれ、前記内燃機関からの排出ガスを導く排出ガス管とを具備することによって、内燃機関の排気ガスのみの場合に比較して、混合ガスを広範囲に行き届かせることができ、モグラ等の駆除を広範囲に亘って行うことができる。
さらに、前記送流管内に、殺鼠剤又は忌避剤を滴下する滴下管の先端部を挿入し、その先端部を空気流の下流側方向に延出することによって、滴下管の一端部の開口部から滴下された駆除剤を、開口部から吸い込まれた空気流に伴って送流管内の空気流にスムーズに混合することができる。
【発明の効果】
【０００７】
本発明において、モグラ等の巣穴に吹き込む内燃機関の排出ガス中には、酸素は略ゼロであるため、巣穴に排出ガスを充填できれば、巣穴を酸欠状態とすることができ、モグラやねずみを窒息させることができる。
しかし、モグラ等の巣穴は、曲折されていると共に、所々に出入口が形成されており、巣穴全体を排出ガスのみで酸欠状態とすることは至難のことである。
例え、巣穴の一部分を排出ガスで充填して酸欠状態としても、モグラ等は酸欠状態となっていない巣穴部分に移動しており、内燃機関の運転停止によって、酸欠状態となった部分も短期間で酸欠状態が解消される。
また、内燃機関の排出ガスは、特有の臭いを呈するため、排出ガスの臭いに馴れないモグラ等は巣穴から逃げ出す忌避効果も期待できるが、この忌避効果も内燃機関の運転停止によって短期間で消失する。
この点、本発明では、内燃機関の排出ガス中に殺鼠剤や忌避剤を添加し、殺鼠剤や忌避剤を排出ガスの流れに伴なってモグラ等の巣穴内に導入する。このため、排出ガスによって巣穴を酸欠状態にできなくても、巣穴に導入された排出ガス中の殺鼠剤や忌避剤に接触したモグラやねずみを確実に巣穴から駆除できる。
また、巣穴に導入された排出ガス中の殺鼠剤や忌避剤にモグラやねずみが接触しなくても、殺鼠剤や忌避剤は巣穴の壁面等に残留するため、内燃機関を運転停止しても、殺鼠剤や忌避剤の薬効が継続される。このため、殺鼠剤や忌避剤が添加された排出ガスを導入した巣穴の駆除状態を長期間維持できる。
【発明を実施するための最良の形態】
【０００８】
以下、本発明に係るモグラ等の駆除装置の好適な実施の形態を添付図面に基づいて詳細に説明する。
図１は、本発明に係るモグラ等の駆除装置の一実施形態の構成を示す側面図である。図１に示す駆除装置１０は、内燃機関の一種であるガソリンエンジン１８からの排出ガス中に殺鼠剤又は忌避剤を混合する混合手段１４と、排出ガスと殺鼠剤又は忌避剤と混合された混合ガスをモグラやねずみの巣穴に導入する導入手段１６とを具備し、モグラやねずみの巣穴に混合ガスを導入し、モグラやねずみを駆除する装置である。
【０００９】
図１に示すガソリンエンジン１８としては、草刈機などに使用される２サイクルのガソリンエンジンを用いている。これは、２サイクルのガソリンエンジン１８の排出ガスが目に見える煙となって排出されることから、排出ガスが含まれた混合ガスをモグラやねずみの巣穴に導入した際に、巣穴の所々に形成された出入口から漏れ出してくる排出ガスの煙によって、混合ガスの行き届いた範囲を把握できるようにするためである。
【００１０】
ガソリンエンジン１８から排出される排出ガス中には、混合手段１４によって、殺鼠剤又は忌避剤（以下、駆除剤と称することがある）が混合される。図１に示す混合手段１４には、ガソリンエンジン１８によって回転駆動されるファン２６と、ファン２６から送り込まれる空気流が流れる送流管２０中に、駆除剤を滴下する滴下手段３０と、駆除剤を含む空気流が流れる送流管２０に繋ぎ込まれ、ガソリンエンジン１８からの排出ガスを導く排出ガス管２２とを備えている。
【００１１】
ファン２６は、ガソリンエンジン１８の外壁面に取り付けられ、ガソリンエンジン１８によって回転駆動するように設けられている。このファン２６を覆うファンカバー２８には、送流管２０の一端が開口され、ファン２６の回転による空気流が送流管２０内に流れ込むように設けられている。
【００１２】
送流管２０は、ファン２６から送り込まれる空気流が管内をスムーズに流れるように略水平方向に延出して設けられ、中途部に、駆除剤を送流管２０内に滴下する滴下手段３０が設けられている。
この滴下手段３０は、駆除剤が滴下される開口部が送流管２０から突出する一端部に形成され、この一端部よりも細い他端部４０ａが送流管２０内に挿入されたＬ字状の滴下管３８と、滴下管３８の一端部の上方に設けられ、液体状の駆除剤を貯槽する駆除剤タンク３２と、滴下管３８の一端部の開口部と駆除剤タンク３２との間に設けられ、駆除剤タンク３２内の駆除剤の所定量を滴下する滴下部材３６とからなる。
【００１３】
かかる滴下管３８の他端部４０は、送流管２０内の空気流の下流側方向に延出されているため、滴下管３８の一端部の開口部から滴下された駆除剤は、開口部から吸い込まれた空気流に伴って送流管２０内の空気流に混合される。
【００１４】
ガソリンエンジン１８の排気口２４に接続されて、ガソリンエンジン１８から排出される排出ガスが流れる排出ガス管２２は、送流管２０の滴下手段３０が設けられた位置よりも下流側に繋ぎ込まれる。送流管２０に接続される排出ガス管２２は、排出ガスが送流管２０内に逆流する方向に送り込まれるのを防止するため、送流管２０に直交する角度よりも送流管２０の空気の送り方向側に傾いて接続されている。
これにより、送流管２０内において排出ガスと駆除剤とが混合され、送流管２０の排出ガス管２２が接続された位置よりも下流側が、混合ガスを導入手段１６に供給する供給管４４となる。
【００１５】
ガソリンエンジン１８から排出される排出ガスは高温であることから、送流管２０内に排出ガスを送り込むことによって、滴下された液体状の駆除剤を気化させたりミスト状にできる。このため、送流管２０内の空気流中で、排出ガスと駆除剤とがバランス良く混合される。
【００１６】
排出ガスと駆除剤とが混合された混合ガスは、供給管４４に接続された導入手段１６により、モグラやねずみの巣穴に導入される。本実施形態の導入手段１６としては、先端部がモグラやねずみの巣穴に挿入され、後端部４６ａが供給管４４に接続されるように設けられ、銅等で形成された曲折可能な金属製の導入管４６が用いられている。
このように、本実施形態においては、供給管４４の混合ガスをモグラ等の巣穴に導く際に、曲折可能の導入管４６を用いることによって、導入管４６の先端部を巣穴に具合良く差し込め、巣穴内に混合ガスを好適に送り込むことができる。
【００１７】
図１に示す装置に用いることができる駆除剤としては、殺虫剤・除草剤・殺菌剤等の農薬や、忌避剤としてカプサイシンや木酢液、メントール等が含有されたもの、殺鼠剤として使用されるクマリン、リン化亜鉛、黄リン、硫化タリウム等が含有されたものが用いられる。
ただし、本実施形態の駆除装置１０においては、液体状の駆除剤を排出ガスの熱によって気化させる構成に設けられているものであるから、駆除剤としては熱を与えても駆除成分が分解されにくいものが好ましい。
【００１８】
以下に、図１に示す装置を用いた駆除方法について説明する。
ガソリンエンジン１８を駆動させると、ガソリンエンジン１８のファン２６が回転し、送流管２０内に空気流が流れる。この空気流内に、滴下手段３０により駆除剤を滴下すると共に、ガソリンエンジン１８から排出される排出ガスを送り込み混合ガスとする。
本実施形態の駆除剤は、液剤を気化させ植物等に噴きつけて使用することにより防虫作用を奏する有機リン製剤が含有された農薬を使用している。この有機リン製剤が含まれた農薬は、気化をするために熱を加えても駆除に有効な成分が分解され難い。このため、有機リン製剤を含有する農薬を巣穴に導入することによって巣穴の壁面等に残留して駆除作用をなし、駆除状態を長期間保つことができる。
【００１９】
また、駆除剤と排出ガスとを混合することにより、混合ガス中の排出ガスと駆除剤とが共働してモグラ等を忌避させたり死滅させたりすることができる。すなわち、排出ガスによって巣穴を酸欠状態にすると共に、排出ガスにより加熱されて混合された駆除剤をモグラやねずみに接触させることで、モグラやねずみ等を確実に巣穴から駆除することができる。
【００２０】
本実施形態においては、一つの巣穴に約２０分間駆除装置１０を駆動させて、混合ガスを導入する。こうすると、約４〜５ヶ月間は駆除した状態が保持される。これは、巣穴に導入した混合ガス中の駆除剤が、巣穴の壁面等に残留するため、駆除装置１０の駆動を停止しても、駆除剤の薬効が継続されるためである。
これに対し、従来の駆除装置１００（図３参照）のように、排出ガスのみで駆除を行った場合には、一つの巣穴に約３０分間排出ガスを導入しても、約２ヶ月間しか駆除した状態を保つことができなかった。
【００２１】
また、本実施形態の駆除装置１０は、混合ガスをファン２６から送り込まれる空気流によってモグラ等の巣穴に送り込むものであるため、ガソリンエンジン１８の排気ガス量にかかわらず、モグラ等の駆除を広範囲に行き届かせることができる。
図３に示す従来の装置１００においては、ガソリンエンジン１０４の排気ガス量によって、モグラ等の駆除範囲が限定されるため、使用するガソリンエンジン１０４の排出ガス量でまかなうことのできる範囲外の駆除を行う場合には、装置を移動して行うことを必要とし作業効率が悪かった。しかし、本実施形態の駆除装置１０は、ファン２６により送り込まれた空気流により混合ガスを噴出させることによって、ガソリンエンジン１８から排出される排出ガスよりも勢いよくモグラ等の巣穴に混合ガスを導入することができることから、広範囲のモグラ等の駆除を行うことが可能である。
実際、３０坪程度の農作地において駆除を行った場合、従来の駆除装置１００では、約５ヶ所で装置を駆動させなければならなかったが、本実施形態の駆除装置１０においては、１ヶ所で駆動させるだけで農作地全体のモグラやねずみを駆除することができた。
【００２２】
なお、本実施形態においては、内燃機関として２サイクルのガソリンエンジンを用いているが、４サイクルのガソリンエンジンであっても良いし、ディーゼルエンジンであっても良い。また、その他の内燃機関であっても良い。ただ、本実施形態においては、持ち運びやすい装置とするため、小型の２サイクルガソリンエンジンを用いている。
【００２３】
また、殺鼠剤又は忌避剤と排出ガスとを混合する混合手段も、本実施形態の構成に限定されるものではない。
例えば、図２(a)に示すように、排出ガス管２２ａが送流管２０ａに繋ぎ込められて、送流管２０ａ内の空気流中に排出ガスを送り込み、排出ガスを含む空気流中に駆除剤が滴下されるように、送流管２０ａに滴下手段３０が設けられた構成に駆除装置１０ａを設けることであっても良い。
【００２４】
また、図２(b)に示すように、ガソリンエンジン１８の排気口２４に連通され、排出ガスが流れる排出ガス管２２ｂに滴下手段３０を取り付けて、排出ガス中に直接駆除剤を滴下して混合するように構成された駆除装置１０ｂであっても良い。なお、このように排出ガス管２２ｂ内に直接駆除剤を滴下する構成に設けられている装置１０ｂにおいては、ガソリンエンジン１８から排出された排出ガスが高温であることから、排出ガス管２２ｂの、滴下手段３０が取り付けられた位置よりも上流側に、排出ガス管２２ｂを冷却するための冷却コイルや放熱板、冷却ファンなどの冷却手段５０を設けることが好ましい。
【００２５】
また、本実施形態においては、駆除剤を混合する混合手段として、送流管内に駆除剤を滴下する滴下手段を用いているが、本発明においてはこれに限定されるものではない。例えば、液体状の駆除剤を加圧して霧状にする噴霧手段を用い、霧状になった駆除剤を送流管に送り込むことで混合することであっても良い。
【図面の簡単な説明】
【００２６】
【図１】本発明に係るモグラ等の駆除装置の一実施形態の構成を示す側面図である。
【図２】図１に示すモグラ等の駆除装置の変形例を示す側面図である。
【図３】従来のモグラ等の駆除装置の構成を示す斜視図である。
【符号の説明】
【００２７】
１０  モグラ等の駆除装置
１４  混合手段
１６  導入手段
１８  ガソリンエンジン
２０  送流管
２２  排出ガス管
２６  ファン
３０  滴下手段
３８  滴下管
４０  屈曲筒
４４  供給管
４６  導入管
【図１】
2005192511.tif 000003
【図２】
2005192511.tif 000004
【図３】
2005192511.tif 000005